(57)【要約】【課題】簡易な構成で空調装置から給気孔までの距離が長くても長い時間を要することなく床上空間を設定された温度環境とすることのできる空調システムを提供する。【解決手段】床部６により床上空間７と床下空間８とに仕切られた建物１の床下空間８に設置された空調装置１１と、床部６に設けられた給気孔２１の下方に設けられ、給気孔２１を通して床下空間８の空気を床上空間７に送る送風機３１と、床下空間８において、空調装置の吹出口１５から給気孔２１の近傍へと伸びるダクト３２と、を備える。【選択図】図６
2020034171.tif 000002
【特許請求の範囲】
【請求項１】
床部により床上空間と床下空間とに仕切られた建物の前記床下空間に設置された空調装置と、
前記床部に設けられた給気孔の下方に設けられ、前記給気孔を通して前記床下空間の空気を前記床上空間に送る送風機と、
前記床下空間において、前記空調装置の吹出口から前記給気孔の近傍へと伸びるダクトと、を備えることを特徴とする空調システム。
【請求項２】
前記ダクトは、前記空調装置側の一端が前記吹出口と対向されて固定部材により前記空調装置に固定されていることを特徴とする請求項１に記載の空調システム。
【請求項３】
前記固定部材は、前記吹出口の上方と側方とを覆いつつ前記空調装置に宛がわれる被覆壁部を有し、
前記ダクトの前記一端は、前記吹出口と間隔を空けつつ前記被覆壁部の内方に位置されていることを特徴とする請求項２に記載の空調システム。
【請求項４】
前記空調装置は、上方に吸込口を有し、前記吸込口が前記床部に設けられた排気孔と間隔を空けつつ上下方向で対向されていることを特徴とする請求項３に記載の空調システム。
【発明の詳細な説明】
【技術分野】
【０００１】
本開示は、床下空間を利用した空調システムに関する。
【背景技術】
【０００２】
従来、床下空間に設けた空調装置からの空調空気を床下空間に供給し、その床下空間から床部に設けた各給気孔を通して床上空間に空調空気を供給することで、床上空間の空調を行う空調システムが考えられている（例えば、特許文献１、２参照）。その特許文献１の空調システムは、各給気孔にファンを設けており、床下空間の空調空気を床上空間へと積極的に供給している。また、特許文献２の空調システムは、床下空間において間仕切りを利用して空調装置から各給気孔への通気経路を形成することで、各給気孔へと空調空気を積極的に導いている。
【先行技術文献】
【特許文献】
【０００３】
【特許文献１】特開２００６−３１３０４１号公報
【特許文献２】特開２００８−１１１６３３号公報
【発明の概要】
【発明が解決しようとする課題】
【０００４】
しかしながら、上記した従来の各空調システムは、空調装置から給気孔までの距離が長い場合、床上空間に空調空気を供給するまでに要する時間が長くなり、床上空間を設定された温度環境とするまでの時間が長くなってしまう。加えて、特許文献２の空調システムは、床下空間において間仕切りを利用して通気経路を形成しているので、施工の煩雑さを招くとともに床下空間を点検し難くしてしまう。
【０００５】
本開示は、上記の事情に鑑みて為されたもので、簡易な構成で空調装置から給気孔までの距離が長くても長い時間を要することなく床上空間を設定された温度環境とすることのできる空調システムを提供することを目的とする。
【課題を解決するための手段】
【０００６】
上記した目的を達成するために、本開示の空調システムは、床部により床上空間と床下空間とに仕切られた建物の前記床下空間に設置された空調装置と、前記床部に設けられた給気孔の下方に設けられ、前記給気孔を通して前記床下空間の空気を前記床上空間に送る送風機と、前記床下空間において、前記空調装置の吹出口から前記給気孔の近傍へと伸びるダクトと、を備えることを特徴とする。
【０００７】
ここで、前記ダクトは、前記空調装置側の一端が前記吹出口と対向されて固定部材により前記空調装置に固定されている構成とすることができる。さらに、前記固定部材は、前記吹出口の上方と側方とを覆いつつ前記空調装置に宛がわれる被覆壁部を有し、前記ダクトの前記一端は、前記吹出口と間隔を空けつつ前記被覆壁部の内方に位置されている構成としてもよい。前記空調装置は、上方に吸込口を有し、前記吸込口が前記床部に設けられた排気孔と間隔を空けつつ上下方向で対向されている構成とすることができる。
【発明の効果】
【０００８】
このように構成された本開示の空調システムは、簡易な構成で空調装置から給気孔までの距離が長くても長い時間を要することなく床上空間を設定された温度環境とすることができる。
【０００９】
ここで、前記ダクトは、前記空調装置側の一端が前記吹出口と対向されて固定部材により前記空調装置に固定されている構成であれば、簡易な構成で、各ダクトにより吹出口から吹き出された空調空気を、各給気孔の近傍に導くことができる。さらに、前記固定部材は、前記吹出口の上方と側方とを覆いつつ前記空調装置に宛がわれる被覆壁部を有し、前記ダクトの前記一端は、前記吹出口と間隔を空けつつ前記被覆壁部の内方に位置されている構成であれば、吹出口から吸込口へのショートサーキットの発生を抑制できるとともに、吹出口から吹き出した空調空気のうちのダクト内に進んでいない残りの空調空気を空調装置の周辺に供給できる。さらに、前記空調装置は、上方に吸込口を有し、前記吸込口が前記床部に設けられた排気孔と間隔を空けつつ上下方向で対向されている構成であれば、床下空間において吸込口の周辺に滞留した空気も循環させることができ、床下空間をより適切な温度や湿度にでき、床上空間をより快適な環境にできる。
【図面の簡単な説明】
【００１０】
【図１】本開示に係る空調システムの一実施形態に係る一例としての空調システムを示す説明図である。
【図２】空調システムの制御系の構成を示すブロック図である。
【図３】固定部材の構成を示す説明図である。
【図４】固定部材を用いてダクトを空調装置に固定する様子を示す説明図である。
【図５】吹出口から空調空気が吹き出される側から見て、固定部材を介して４つのダクトが空調装置に固定された様子を示す説明図である。
【図６】給気孔（送風機）へ向けて配置されたダクトとの位置関係を示す説明図である。
【図７】一例としての空調システムの配置例を示す説明図である。
【発明を実施するための形態】
【００１１】
以下に、本開示に係る空調システムの一例としての実施例１の空調システム１０について図面を参照しつつ説明する。
【実施例１】
【００１２】
本開示に係る空調システムの一実施形態に係る実施例１の空調システム１０を、図１から図７を用いて説明する。空調システム１０は、建物の内部の空調を行うために用いるものであり、実施例１では建物１に設けられている。なお、図３および図４では、構成や取り付ける様子の理解の把握を容易とするために、単一の締付部５１およびダクト３２（図４）のみを示している。
【００１３】
建物１は、図１に示すように、断熱基礎として構築された基礎底盤コンクリート２と、その側縁から立ち上がる基礎側壁コンクリート３と、その上から立ち上がる外壁部４と、その外壁部４に囲まれた上端を塞ぐ天井部５と、を備える。建物１では、外壁部４と天井部５とに囲まれる空間に床部６が設けられ、上方の床上空間７と下方の床下空間８とに区切られている。床上空間７は、屋内に設けられる空間として機能する箇所で、居室や非居室等が設けられる。床下空間８は、基礎側壁コンクリート３の内側にグラスウール等の断熱材９が取り付けられ、内部の熱が屋外に極力漏れない断熱構造とされている。
【００１４】
空調システム１０は、床下空間８内に設けられた屋内機となるヒートポンプ式の空調装置１１に、熱媒循環管路１２を介して屋外機１３が接続されて構成されている。空調装置１１は、上面１１ａに設けられた吸込口１４（図４参照）から吸い込んだ空気を、温度を調整した暖気または冷気の空調空気として、前面１１ｂ（図１の左側の面、図４の手前側の面）に設けられたから吹出口１５（図４参照）から吹き出すことが可能とされている。空調装置１１は、空気を様々な強さで吹き出させることが可能なファンが設けられており、吹出口１５から空調空気を吹き出す風量の調整が可能とされている。空調装置１１は、除湿機能を有し、接続されたドレイン１６を通して床下空間８から屋外へと排水する。なお、空調装置１１は、床上空間７に空調空気を吹き出すことができるものであればよく、実施例１の構成に限定されない。
【００１５】
建物１では、床部６に、複数の給気孔２１と複数の排気孔２２と複数の接続孔２３とが設けられている。各給気孔２１、各排気孔２２および各接続孔２３は、それぞれが床上空間７と床下空間８とを通じさせており、それぞれグリルが設けられてゴミ等が入り込むことが抑えられている。各給気孔２１は、床下空間８内の空気を床上空間７に給気するために設けられている。各給気孔２１は、実施例１では、下方すなわち床部６の床下空間８側に送風機３１が設けられている。
【００１６】
送風機３１は、商用電源から電力が供給されており、後述する制御部２７と有線または無線の通信路を介して接続されて、制御部２７の制御下で適宜駆動される。送風機３１は、駆動されると、下方に設けられた吸入部３１ａから吸入した空気を、上方に設けられた吹出部３１ｂから上方に向けて吹き出すことが可能とされている（図６参照）。このため、送風機３１は、床下空間８における自らの下方周辺すなわち対応する給気孔２１の下方周辺の空気を床上空間７に積極的に送ることができる。
【００１７】
各排気孔２２は、床上空間７の空気を床下空間８に排気するために設けられている。各排気孔２２は、床下空間８に設けられた空調装置１１の吸込口１４（図４参照）と上下方向で対向する位置に設けられており、空調装置１１が吸込口１４から空気を吸い込むと、床上空間７の空気が各排気孔２２を通して空調装置１１に吸い込まれる。その空調装置１１の吸込口１４は、実施例１では、各排気孔２２との間に間隔を空けて設けられており、床上空間７の空気とともに床下空間８における吸込口１４の周辺の空気も吸い込むものとされている。
【００１８】
各接続孔２３は、床上空間７と床下空間８とを通じさせるもので、床下空間８内の空気（空調空気）が床上空間７に流れ込むことを可能とする。この接続孔２３は、床上空間７に設けられた部屋（区画）毎に個別に設けてもよく、各部屋の共通のものとして１つまたは複数を設けてもよい。また、接続孔２３は、各部屋（区画）同士を通じさせるものでもよく、床上空間７と床下空間８とを接続するものと各部屋（区画）同士を通じさせるものとの双方を併せて設けるものでもよく、実施例１の構成に限定されない。
【００１９】
空調システム１０は、リモートコントローラ２４と屋内温度測定部２５と床下温度測定部２６とを備える。リモートコントローラ２４は、空調装置１１の動作や各運転モードの時間や温度等の設定や実行等の操作を行う操作部であり、実施例１では床上空間７に設けられている。リモートコントローラ２４は、無線の通信路を介して後述する制御部２７に接続され、行われた操作の情報を制御部２７に送信する。このリモートコントローラ２４は、床上空間７に設けられた部屋毎に個別に設けられており、各モードの設定を部屋毎に行うことが可能とされている。なお、操作部は、上記した操作を行うことができるものであれば、制御部２７に有線で接続されたタッチパネルや押ボタンでもよく、ＩＯＴ（Internet of Things）で接続された機器が有するリモコンアプリでもよく、他の構成でもよく、実施例１の構成に限定されない。
【００２０】
屋内温度測定部２５は、床上空間７の温度を測定するもので、実施例１では床上空間７に設けられたリモートコントローラ２４に内蔵されている。屋内温度測定部２５は、後述する制御部２７と有線または無線の通信路を介して接続され、測定した温度（そのデータ）を制御部２７に送信する。なお、屋内温度測定部２５は、床上空間７の温度を測定するものであれば、リモートコントローラ２４とは別に設けられていてもよく、他の構成でもよく、実施例１の構成に限定されない。
【００２１】
床下温度測定部２６は、床下空間８の温度を測定するもので、実施例１では床下空間８に設けられた空調装置１１（その筐体）に設けられている。床下温度測定部２６は、後述する制御部２７と有線または無線の通信路を介して接続され、測定した温度（そのデータ）を制御部２７に送信する。なお、床下温度測定部２６は、床下空間８の温度を測定するものであれば、空調装置１１とは別に設けられていてもよく、他の構成でもよく、実施例１の構成に限定されない。
【００２２】
空調システム１０は、図１および図２に示すように、空調装置１１に内蔵されて制御部２７と記憶部２８とが設けられている。制御部２７は、屋内温度測定部２５、床下温度測定部２６および各送風機３１と有線または無線の通信路を介して接続されており、屋内温度測定部２５および床下温度測定部２６から温度（そのデータ）を適宜取得するとともに、各送風機３１を適宜駆動させる。空調システム１０では、商用電源から制御部２７に電力が供給され、制御部２７が空調装置１１に電力を供給する。制御部２７は、接続された記憶部２８または内蔵する内部メモリに記憶したプログラムを例えばＲＡＭ（Random Access Memory）上に展開することにより、適宜リモートコントローラ２４に対する操作に応じて、空調装置１１や各送風機３１の動作を統括的に制御する。記憶部２８は、各モードを実行するための制御パターン等を記憶している。制御部２７は、空調装置１１の吹出口１５から空調空気を吹き出させることで、床下空間８に空調空気を吹き出させて床下空調を行うとともに、各送風機３１を駆動させることで、床下空間８の空調空気を各給気孔２１から床上空間７に吹き出させて床上空調を行う。
【００２３】
空調システム１０は、空調装置１１の吹出口１５から各給気孔２１の近傍へ向けて延びる複数のダクト３２を設けている。各ダクト３２は、一端３２ａが空調装置１１（その筐体）の前面１１ｂに設けられた吹出口１５に対向され、他端３２ｂが対応する給気孔２１の近傍に位置されて、床下空間８に設けられる（図６参照）。各ダクト３２は、固定部材４０を用いて空調装置１１に固定されている。
【００２４】
その固定部材４０は、図３に示すように、被覆壁部４１と複数の締付部５１とを有する。被覆壁部４１は、吹出口１５およびそこに対向される各ダクト３２の一端３２ａ側を覆うもので、吹出口１５の上方に位置する上壁部分４２の両側に一対の側壁部分４３の上端が接続されて構成されている。上壁部分４２は、吹出口１５および各ダクト３２の一端３２ａの上方を覆うもので、複数（図示の例では４つ）の取付穴４４とフランジ４５とが設けられている。各取付穴４４は、各締付部５１を取り付けるために設けられており、各締付部５１の後述する締付箇所５３を通すことを可能としている。フランジ４５は、固定部材４０を空調装置１１に取り付ける際に、その前面１１ｂにおける吹出口１５の上方に宛がわれる（図４等参照）。
【００２５】
両側壁部分４３は、吹出口１５および各ダクト３２の一端３２ａの側方を覆うもので、それぞれに取付片４６が設けられている。両取付片４６は、上壁部分４２よりも後側（取り付け時の空調装置１１側）に突出する板状とされており、空調装置１１（その筐体）の両側に外側から宛がうことが可能とされている。各取付片４６には、２つのネジ穴４７（図３および図４では手前側の取付片４６にのみ図示）が設けられている。
【００２６】
各締付部５１は、被覆壁部４１への固定のために各ダクト３２の一端３２ａに取り付けられるもので、長尺な板状の部材が環状とされた環状箇所５２と、その両端が面で接触可能に折り曲げられて形成された一対の締付箇所５３と、を有する。環状箇所５２は、ダクト３２の一端３２ａを取り巻くことが可能とされている（図４等参照）。一対の締付箇所５３は、それぞれにネジ穴５４が設けられており、ネジ穴５４に通されたネジ部材５５が締め付けられることで、環状箇所５２におけるダクト３２（一端３２ａ）の締め付け具合の調整が可能とされている。
【００２７】
この固定部材４０は、図４に示すように、各ダクト３２（その一端３２ａ）を空調装置１１に固定する。先ず、フランジ４５を前面１１ｂにおける吹出口１５の上方に宛がいつつ、両取付片４６で空調装置１１を挟むように、被覆壁部４１を配置する。そして、両取付片４６の外側から各ネジ穴４７にネジ部材を通して締め付けることで、吹出口１５を覆うように被覆壁部４１を空調装置１１に取り付けることができる（図１、図５等参照）。その後、ダクト３２の一端３２ａを環状箇所５２で取り巻いた状態で、その締付箇所５３が被覆壁部４１の上壁部分４２の取付穴４４に通されて、ネジ穴５４に通したネジ部材５５を締め付ける。これにより、環状箇所５２が締め付けた状態でダクト３２の一端３２ａに固定されるとともに、締付箇所５３が取付穴４４から脱落することが防止されて（図５等参照）、締付部５１によりダクト３２を被覆壁部４１に取り付けることができる。他のダクト３２は、同様に締付部５１により被覆壁部４１に取り付けることができる。したがって、各ダクト３２の一端３２ａは、図４および図６に示すように、固定部材４０により空調装置１１に固定される。ここで、実施例１では、固定部材４０の被覆壁部４１の上壁部分４２に４つの取付穴４４を設けており、最大で４つの各ダクト３２の一端３２ａを空調装置１１に固定することが可能とされている（図５、図７等参照）。なお、この取り付け可能とする個数は、空調装置１１やその吹出口１５の大きさと各ダクト３２の径寸法とに応じて適宜設定すればよく、実施例１の構成に限定されない。
【００２８】
各ダクト３２の一端３２ａは、図５に示すように、円形の断面とされているのに対して、吹出口１５が矩形とされている。そして、各ダクト３２の一端３２ａは、実施例１では、図６に示すように、吹出口１５と間隔を空けて対向されている。これらのことから、空調装置１１の吹出口１５から吹き出された空調空気は、多くが各ダクト３２の中に流れるとともに、残りが各ダクト３２の外側で被覆壁部４１内に流れる。
【００２９】
その各ダクト３２は、他端３２ｂが対応する給気孔２１の近傍に位置するように延びて設けられる。ここで、給気孔２１の近傍とは、空調装置１１の吹出口１５から吹き出されてダクト３２を経た空調空気を、給気孔２１の下方に設けられた送風機３１が効率良く吸入することを可能とする距離であることをいう。この給気孔２１の近傍は、一例として水平方向で３ｍから５ｍとし、より好適には水平方向で３ｍから４ｍとする。このように、各ダクト３２は、他端３２ｂが対応する給気孔２１の真下ではなく近傍に位置されることで、空調装置１１の吹出口１５から吹き出された空調空気を、送風機３１に効率良く吸入させることができる。
【００３０】
この空調システム１０の一例としての配置例を図７に示す。図７の建物１は、床上空間７が、玄関６１と、ホール６２と、リビングルーム６３と、キッチン６４と、居室６５と、洗面所やトイレや風呂場等が設けられる水回り６６と、に区画されている。この建物１は、リビングルーム６３の２箇所（図７を正面視して下側と右上側）のそれぞれに２つ並んで給気孔２１を設け、居室６５に２つ並んで給気孔２１を設け、水回り６６に１つの給気孔２１を設けている。また、建物１は、ホール６２に２つ並んで排気孔２２を設けるとともに、水回り６６に１つの接続孔２３を設けている。
【００３１】
空調システム１０は、上記した各給気孔２１の配置に対応して、空調装置１１に４つのダクト３２を設けている。以下では、各ダクト３２を個別に述べるときは、図７を正面視して、下側から順にダクト３２１、ダクト３２２、ダクト３２３、ダクト３２４とする。ダクト３２１は、リビングルーム６３において、図７を正面視して下側で並ぶ２つの給気孔２１の近傍に他端３２ｂが位置されている。ダクト３２２は、リビングルーム６３において、図７を正面視して右上側で並ぶ２つの給気孔２１の近傍に他端３２ｂが位置されている。ダクト３２３は、水回り６６の給気孔２１の近傍に他端３２ｂが位置されている。ダクト３２４は、居室６５で並ぶ２つの給気孔２１の近傍に他端３２ｂが位置されている。
【００３２】
空調システム１０は、空調装置１１が、ホール６２に設けた各排気孔２２を経て床下空間８の空気を吸い込み、その空気を空調空気として吹出口１５から吹き出す。すると、空調システム１０は、床下空間８において、ダクト３２１を通してリビングルーム６３の下側、ダクト３２２を通してリビングルーム６３の上側、ダクト３２３を通して水回り６６、ダクト３２４を通して居室６５、のそれぞれに対応する位置に空調空気を吹き出す。これにより、空調システム１０は、床下空間８の全体に渡り空調空気を行き渡らせることができ、床下空間８を快適な環境にできる。また、空調システム１０は、各ダクト３２の他端３２ｂの近傍に各給気孔２１を位置させるとともに、各給気孔２１の下方に送風機３１を設けているので、各送風機３１により各給気孔２１を通して他端３２ｂにより案内された空調空気を床上空間７に積極的に供給できる。このため、空調システム１０は、各送風機３１により各給気孔２１を通して、リビングルーム６３の下側、リビングルーム６３の上側、水回り６６および居室６５に空調空気を供給でき、床上空間７を快適な環境にできる。このとき、空調システム１０は、上記したように床下空間８にも空調空気を行き渡らせているので、主にリビングルーム６３、水回り６６および居室６５の床部６も設定された温度に近いものにできる。これにより、空調システム１０は、それぞれの部屋等において上方と下方とで温度差が生じることを抑制でき、より快適な環境にできる。
【００３３】
本開示に係る空調システムの一実施例の空調システム１０は、以下の各作用効果を得ることができる。
【００３４】
空調システム１０は、各給気孔２１に送風機３１を設けるとともに、空調装置１１の吹出口１５から各給気孔２１の近傍までの間のそれぞれにダクト３２を設けている。これにより、空調システム１０は、空調装置１１からの距離が長い給気孔２１であっても、空調装置１１の吹出口１５から吹き出した空調空気を給気孔２１の近傍に導くことができ、送風機３１により給気孔２１から床上空間７へと効率良く吹き出させることができる。このため、空調システム１０は、床上空間７を効率良く所定の温度や湿度とすることができ、短時間で床上空間７を設定された温度環境にできる。
【００３５】
また、空調システム１０は、固定部材４０により、吹出口１５に対向させた状態で各ダクト３２を空調装置１１に固定している。このため、空調システム１０は、簡易な構成で、各ダクト３２により吹出口１５から吹き出された空調空気を、各給気孔２１の近傍に導くことができる。
【００３６】
さらに、空調システム１０は、固定部材４０で吹出口１５の上方および側方を覆っているので、吹出口１５から吹き出した空調空気が上方に進むことを防止でき、吹出口１５から吹き出された直後に空調装置１１の上面１１ａに設けた吸込口１４に吸い込まれる所謂ショートサーキット（短い循環）の発生を抑制できる。このため、空調システム１０は、上下方向で対向する吸込口１４と排気孔２２との間にショートサーキットの発生抑制のための風防壁等を設ける必要がなく、空調装置１１等の設置を容易なものにできるとともにコストの上昇を防止できる。特に、空調システム１０は、各ダクト３２を空調装置１１に固定するための固定部材４０の被覆壁部４１でショートサーキットの発生を抑制しているので、固定部材４０を用いて各ダクト３２を固定するだけでよく、部材や設置工程の増加を防止でき、コストの上昇を防止できる。また、空調システム１０は、吹出口１５から吹き出した空調空気が上方に進むことを防止しているので、空調装置１１の周辺への空調空気の供給過多が生じることを防止でき、床下空間８における環境に空調装置１１の周辺とそれ以外の箇所とで差異が生じることを抑制できる。
【００３７】
空調システム１０は、各ダクト３２の一端３２ａを吹出口１５と間隔を空けて対向させるとともに、ダクト３２の他端３２ｂを対応する給気孔２１の近傍に位置させている。これにより、空調システム１０は、吹出口１５から吹き出した空調空気の残りを空調装置１１の周辺に供給するとともに、各給気孔２１の周辺に供給でき、床下空間８にも空調空気を広く供給できる。このため、空調システム１０は、床下空間８を効率良く所定の温度や湿度にでき、床部６も所定の温度とすることで床上空間７をより快適な環境にできる。
【００３８】
空調システム１０は、空調装置１１の吸込口１４と各排気孔２２とを間隔を空けつつ上下方向で対向させている。このため、空調システム１０は、空調装置１１の吸込口１４が、床上空間７の空気とともに床下空間８における吸込口１４の周辺の空気も吸い込むものとされている。このとき、空調システム１０は、固定部材４０で吹出口１５の上方および側方を覆っているので、床下空間８における吸込口１４の周辺の空気も吸い込んでもショートサーキットの発生は抑制できる。これにより、空調システム１０は、床下空間８において吸込口１４の周辺に滞留した空気も循環させることができ、床下空間８をより適切な温度や湿度にでき、床上空間７をより快適な環境にできる。
【００３９】
空調システム１０は、各給気孔２１に送風機３１を設けているので、各給気孔２１に送風機３１を設けない構成と比較して、各給気孔２１の数を減らしたり各給気孔２１の断面積（穴の大きさ）を小さくしたりしても、その各給気孔２１を通して床下空間８の空調空気を床上空間７に十分に供給できる。加えて、空調システム１０は、送風機３１で床下空間８から床上空間７に空調空気を供給しているので、床下空間８と床上空間７とに圧力差を生じさせて、各排気孔２２を通って床上空間７の空気が床下空間８へと排出されることを促進することができる。特に、空調システム１０は、各排気孔２２の下方に空調装置１１の吸込口１４を対向させているので、空調装置１１の吸込口１４の吸い込み力も利用して床上空間７の空気を各排気孔２２から排出させている。これらのことから、空調システム１０は、各排気孔２２の数を減らしたり各排気孔２２の断面積（穴の大きさ）を小さくしたりしても、その各排気孔２２を通して床上空間７の空気を床下空間８に十分に排出できる。よって、空調システム１０は、各給気孔２１や各排気孔２２が占有する面積を小さくしつつ床上空間７と床下空間８とでの空気の循環を良好なものにできる。これに伴い、空調システム１０は、各給気孔２１に送風機３１を設けない構成と比較して、床上空間７と床下空間８とで空気の行き来を可能とする接続孔２３の数を減らしたり断面積（穴の大きさ）を小さくしたりすることができる。これらにより、空調システム１０は、各給気孔２１や各排気孔２２や各接続孔２３が占有する面積を小さくすることができ、床上空間７を良好な環境としつつ、床上空間７の見栄えや使い勝手を向上させることができる。
【００４０】
空調システム１０は、空調装置１１の吹出口１５からのダクト３２を各給気孔２１の近傍まで伸びるものとしているので、各給気孔２１に接続する構成と比較して、ダクトの本数を減らすことができるとともに床下空間８の混雑を抑制できる。これは、各給気孔２１に接続する構成とすると、給気孔２１毎にダクトを用いる必要があるとともに各ダクトの両端位置が完全に固定されるので、床下空間８が混雑することによる。このため、空調システム１０は、空調装置１１等の設置を容易なものにでき、コストの上昇を防止でき、床下空間８の点検作業等を容易なものにできる。
【００４１】
建物１は、空調システム１０を備えている。このため、建物１は、住人が過ごす部屋を、短時間で設定された良好な環境とすることができる。
【００４２】
したがって、本開示に係る空調システムとしての実施例１の空調システム１０は、簡易な構成で空調装置１１から給気孔２１までの距離が長くても長い時間を要することなく床上空間７を設定された温度環境とすることができる。
【００４３】
以上、本開示の空調システム１０を実施例１に基づき説明してきたが、具体的な構成については実施例１に限られるものではなく、特許請求の範囲の各請求項に係る発明の要旨を逸脱しない限り、設計の変更や追加等は許容される。
【００４４】
例えば、実施例１では、建物１を単純な構造として説明しているが、より複雑な構造としても同様に空調システム１０を用いることができ、実施例１の構成に限定されない。
【００４５】
また、実施例１では、配置の一例として図７の建物１を示しているが、各給気孔２１、各排気孔２２および各接続孔２３の位置や個数は、適宜設定すればよく、図７の例に限定されない。また、図７の例の空調システム１０は、４本のダクト３２を上記したように設けていたが、空調装置１１（吹出口１５）からの距離が近い給気孔２１に対しては設けなくてもよい。このような例としては、図７を用いると、正面視してリビングルーム６３の右上側で並んで設けられた２つの給気孔２１は、空調装置１１に対して吹出口１５の吹き出し方向であるので、吹出口１５からの距離が近い場合にはダクト３２２を設けないことがあげられる。なお、この近い距離とは、上記した給気孔２１の近傍となる範囲内（水平方向で３ｍから５ｍ以内）に空調装置１１（吹出口１５）が存在する場合とするのが望ましい。これにより、近い距離の給気孔２１の周辺には、ダクト３２を設けたときと同様に、空調空気が導かれることとなり、その下方に設けられた送風機３１により空調空気を積極的に床上空間７へと供給することができる。この場合であっても、吹出口１５の前には、固定部材４０の被覆壁部４１が設けられているので、ショートサーキットの発生を抑制することができる。
【符号の説明】
【００４６】
１  建物      ６  床部      ７  床上空間      ８  床下空間      １０  空調システム      １１  空調装置      １４  吸込口      １５  吹出口      ２１  給気孔      ２２  排気孔      ３１  送風機      ３２  ダクト      ３２ａ  一端      ４０  固定部材      ４１  被覆壁部
【図１】
2020034171.tif 000003
【図２】
2020034171.tif 000004
【図３】
2020034171.tif 000005
【図４】
2020034171.tif 000006
【図５】
2020034171.tif 000007
【図６】
2020034171.tif 000008
【図７】
2020034171.tif 000009